(57)【要約】【課題】  クランプでパイプを締め付け抱持した際、このクランプの外面に突出する例えば締付ボルト及びこの締付ボルトの先端部に螺着するナットに作業者が接触してしまったり、作業服や工具袋などに引っ掛かってしまったりしにくくできる一方、締付ボルトに対するナットの回動作業も容易に行うことができ、この締付ボルト及びナットに人や物が引っ掛かりにくい状態と、締付ボルトに対してナットを回動操作できる状態とを簡易な操作によって容易に可変することができる極めて実用的で安全性にも秀れた画期的なクランプ用カバーを提供すること。【解決手段】  パイプａを締め付け抱持するクランプｂの外面を覆うカバーであって、前記クランプｂの所定部位に、このクランプｂに対して回動自在にカバー体８を配設し、クランプｂに対して前記カバー体８を回動することで、少なくともこのカバー体８が前記パイプａを締め付け抱持したクランプｂの突出部位となる締付抱持機構５を覆った状態と、前記締付抱持機構５を覆わない状態とに可変し得るように構成したクランプ用カバー。【選択図】        図１
2004251443.tif 000002
【特許請求の範囲】
【請求項１】
パイプを抱持する抱持縁を有する抱持体の一端部に抱持縁を有する締付抱持体の一端部を枢着し、この抱持体の他端部及び締付抱持体の他端部に、この抱持体若しくは締付抱持体を締め付け閉じ動固定して前記パイプを締付抱持する締付抱持機構を設けて、この抱持体と締付抱持体との抱持縁間に前記パイプを配設し前記締付抱持機構によりパイプを締め付け抱持し得るように構成したクランプの外面を覆うカバーであって、前記クランプの所定部位に、このクランプに対して回動自在にカバー体を配設し、クランプに対して前記カバー体を回動することで、少なくともこのカバー体が前記パイプを締め付け抱持したクランプの突出部位となる締付抱持機構を覆った状態と、前記締付抱持機構を覆わない状態とに可変し得るように構成したことを特徴とするクランプ用カバー。
【請求項２】
前記カバー体を樹脂製とし、このカバー体を、前記抱持体及び前記締付抱持体の外面並びに前記締付抱持機構、又は、前記抱持体若しくは前記締付抱持体の外面並びに前記締付抱持機構を覆い得る形状に形成したことを特徴とする請求項１記載のクランプ用カバー。
【請求項３】
前記締付抱持機構は、前記抱持体若しくは前記締付抱持体に設けた締付ボルトと、前記締付抱持体若しくは前記抱持体に設けた係合係止部に係合した前記締付ボルトに螺着するナットとから構成、又は、抱持体の端部及び締付抱持体の端部に設けた係合部と、この抱持体の端部及び前記締付抱持体の端部に設けた係合部に嵌入する楔体とから構成し、前記カバー体に、前記締付抱持機構の締付ボルト及びこの締付ボルトに螺着するナット、又は、前記抱持体の端部及び前記締付抱持体の端部に設けた係合部並びにこの係合部に嵌入する楔体を収納し得る収納部を形成し、前記クランプに対して前記カバー体を回動してこの収納部に前記締付抱持機構を収納することで、この締付抱持機構をカバー体で覆った状態とすることを特徴とする請求項１，２のいずれか１項に記載のクランプ用カバー。
【請求項４】
前記カバー体が前記パイプを締め付け挟持したクランプの突出部位となる締付抱持機構を覆った際、前記締付抱持機構に圧入して前記カバー体が締付抱持機構を覆った状態を保持する圧入部を前記カバー体の内側に一体形成したことを特徴とする請求項１〜３のいずれか１項に記載のクランプ用カバー。
【請求項５】
前記カバー体の一端部に、このカバー体をクランプに係合する係合部を設け、他端部に、前記締付抱持機構を収納し得る収納部を形成し、前記係合部をクランプに係合することでカバー体をクランプに対して回動自在に配設した構成としたことを特徴とする請求項１〜４のいずれか１項に記載のクランプ用カバー。
【発明の詳細な説明】
【技術分野】
【０００１】
本発明は、クランプ用カバーに関するものである。
【背景技術】
【０００２】
この種のパイプ固定用クランプとして、例えば、パイプを抱持する抱持縁を有する抱持体の基端部に、同じく抱持縁を有する締付抱持体の基端部を枢着し、この抱持体の先端部に締付ボルトの基端部を枢着し、この締付ボルトの先端部を締付抱持体の先端部に設けた係合部に係合して前記締付ボルトに螺合したナットを締め付け回動することによりパイプを強固に締め付け抱持するように構成したものがある。
【発明の開示】
【発明が解決しようとする課題】
【０００３】
ところで、このクランプは、抱持体と締付抱持体とによりパイプを締め付け抱持すると、その構造上、締付ボルトの先端部とこの締付ボルトの先端部に螺着したナットがクランプの外面において突出した状態となる（尚、抱持体の端部と締付抱持体の端部とを楔体で打ち込むことでパイプを締め付け抱持するタイプのクランプにおいても、やはりこの楔体はクランプの外面において突出した状態となる。）。
【０００４】
そのため、通常、建築現場などで仮設足場や仮設階段などを形成する際に使用されることの多いこのクランプは、前記仮設足場や仮設階段の所々で締付ボルトの先端部及びこの先端部に螺着したナットが外面において突出した状態となっており、作業者がこの仮設足場や仮設階段を移動する際に突出した状態の締付ボルトの先端部及びナットに接触してしまったり、作業服や腰などに携帯した工具袋などが引っ掛かってしまい易いという懸念を有する。
【０００５】
本発明は、前述した問題点に鑑み、試作・検討を繰り返した末、完成したもので、クランプでパイプを締め付け抱持した際、このクランプの外面に突出する例えば締付ボルト及びこの締付ボルトの先端部に螺着するナットに作業者が接触してしまったり、作業服や工具袋などに引っ掛かってしまったりしにくくできる一方、締付ボルトに対するナットの回動作業も容易に行うことができ、この締付ボルト及びナットに人や物が引っ掛かりにくい状態と、締付ボルトに対してナットを回動操作できる状態とを簡易な操作によって容易に可変することができ、更に、簡易な構成にして容易に設計実現できることで量産性にも秀れる極めて実用的で安全性にも秀れた画期的なクランプ用カバーを提供することを目的としている。
【課題を解決するための手段】
【０００６】
添付図面を参照して本発明の要旨を説明する。
【０００７】
パイプａを抱持する抱持縁を有する抱持体１Ａの一端部に抱持縁を有する締付抱持体１Ｂの一端部を枢着し、この抱持体１Ａの他端部及び締付抱持体１Ｂの他端部に、この抱持体１Ａ若しくは締付抱持体１Ｂを締め付け閉じ動固定して前記パイプａを締付抱持する締付抱持機構５を設けて、この抱持体１Ａと締付抱持体１Ｂとの抱持縁間に前記パイプａを配設し前記締付抱持機構５によりパイプａを締め付け抱持し得るように構成したクランプｂの外面を覆うカバーであって、前記クランプｂの所定部位に、このクランプｂに対して回動自在にカバー体８を配設し、クランプｂに対して前記カバー体８を回動することで、少なくともこのカバー体８が前記パイプａを締め付け抱持したクランプｂの突出部位となる締付抱持機構５を覆った状態と、前記締付抱持機構５を覆わない状態とに可変し得るように構成したことを特徴とするクランプ用カバーに係るものである。
【０００８】
また、前記カバー体８を樹脂製とし、このカバー体８を、前記抱持体１Ａ及び前記締付抱持体１Ｂの外面並びに前記締付抱持機構５、又は、前記抱持体１Ａ若しくは前記締付抱持体１Ｂの外面並びに前記締付抱持機構５を覆い得る形状に形成したことを特徴とする請求項１記載のクランプ用カバーに係るものである。
【０００９】
また、前記締付抱持機構５は、前記抱持体１Ａ若しくは前記締付抱持体１Ｂに設けた締付ボルト２と、前記締付抱持体１Ｂ若しくは前記抱持体１Ａに設けた係合係止部３に係合した前記締付ボルト２に螺着するナット４とから構成、又は、抱持体の端部及び締付抱持体の端部に設けた係合部と、この抱持体の端部及び前記締付抱持体の端部に設けた係合部に嵌入する楔体とから構成し、前記カバー体８に、前記締付抱持機構５の締付ボルト２及びこの締付ボルト２に螺着するナット４、又は、前記抱持体の端部及び前記締付抱持体の端部に設けた係合部並びにこの係合部に嵌入する楔体を収納し得る収納部13を形成し、前記クランプｂに対して前記カバー体８を回動してこの収納部13に前記締付抱持機構５を収納することで、この締付抱持機構５をカバー体８で覆った状態とすることを特徴とする請求項１，２のいずれか１項に記載のクランプ用カバーに係るものである。
【００１０】
また、前記カバー体８が前記パイプａを締め付け挟持したクランプｂの突出部位となる締付抱持機構５を覆った際、前記締付抱持機構５に圧入して前記カバー体８が締付抱持機構５を覆った状態を保持する圧入部16を前記カバー体８の内側に一体形成したことを特徴とする請求項１〜３のいずれか１項に記載のクランプ用カバーに係るものである。
【００１１】
また、前記カバー体８の一端部に、このカバー体８をクランプｂに係合する係合部６を設け、他端部に、前記締付抱持機構５を収納し得る収納部13を形成し、前記係合部６をクランプｂに係合することでカバー体８をクランプｂに対して回動自在に配設した構成としたことを特徴とする請求項１〜４のいずれか１項に記載のクランプ用カバーに係るものである。
【発明の効果】
【００１２】
本発明は上述のように構成したから、クランプの突出部位となる締付抱持機構に作業服などを引っ掛かりにくくすることができ、一方、締付抱持機構の締付抱持操作をこれまで通り容易に行うことができ、しかも、この締付抱持機構に物が引っ掛かりにくい状態と、締付抱持機構を締付抱持操作できる状態とを簡易な操作によって可変でき、更に、簡易な構成にして容易に製作できることで量産性にも秀れる極めて実用的で安全性にも秀れる画期的なクランプ用カバーとなる。
【００１３】
また、請求項２記載の発明については、クランプの突出部位となる締付抱持機構だけでなく、クランプの外面、即ち、前記抱持体及び前記締付抱持体の外面又は前記抱持体若しくは前記締付抱持体の外面をもカバー体で覆うことができるため、より一層クランプの外面に物を引っ掛かりにくくすることができる。
【００１４】
また、カバー体を樹脂製とすることで、クッション性（弾力性）を付与できることとなり、これにより、例えばクランプの外面に作業者が接触してしまっても、接触時の衝撃を和らげることができ、よって、より安全性に秀れたものとなる。
【００１５】
また、カバー体を樹脂製とすることで、例えば一体成形により製造が可能なため、容易に製造することができ、秀れた量産性を発揮することができる画期的なクランプ用カバーとなる。
【００１６】
また、請求項３記載の発明については、クランプの締付抱持機構が締付ボルト及びこの締付ボルトに螺着するナットとからなるものであっても、抱持体の端部及び締付抱持体の端部に設けた係合部並びにこの係合部に嵌入する楔体とからなるものであっても、クランプの突出部位となる締付抱持機構をカバー体で確実に覆ってクランプの外面に物を引っ掛かりにくくすることができる実用性に秀れた画期的なクランプ用カバーとなる。
【００１７】
また、請求項４記載の発明については、パイプを締付抱持したクランプに対し、カバー体を回動させて該カバー体の圧入部を締付抱持機構に圧入することで、カバー体でクランプの締付抱持機構を覆った状態を良好に保持でき、これにより、例えばカバー体が締付抱持機構を覆わない方向に回動するような力が外方から加わったとしても、このカバー体が回動することを抑制できることとなり、しかも、この圧入部を容易に形成することができる実用性に秀れた画期的なクランプ用カバーとなる。
【００１８】
また、請求項５記載の発明については、係合部をクランプに係合するだけで、クランプに対してカバー体を回動自在に配設でき、これにより、カバー体をクランプに容易に配設でき、カバー体で締付抱持機構を覆った状態と覆わない状態とを可変することができる実用性に秀れた画期的なクランプ用カバーとなる。
【発明を実施するための最良の形態】
【００１９】
好適と考える本発明の実施の形態（発明をどのように実施するのが最良か）を、図面に基づいてその作用効果を示して簡単に説明する。
【００２０】
例えば、パイプａを締め付け抱持したクランプｂの締付抱持機構５を覆う状態となるようにクランプｂに対してカバー体８を回動すると、このカバー体８がクランプｂの突出部位となる前記締付抱持機構５を外方から覆った状態となり、これにより、クランプｂの外面部に物が引っ掛かりにくい状態になることとなる。
【００２１】
また、例えば、パイプａを締め付け抱持したクランプｂの前記締付抱持機構５を覆わない状態となるように、即ち、前記締付抱持機構５が露出する状態となるようにクランプｂに対してカバー体８を回動すると、このカバー体８が前記締付抱持機構５から離反して締付抱持機構５が露出した状態となり、これにより、締付抱持機構５を締付抱持操作できる状態になることとなる。
【００２２】
従って、クランプｂに対してカバー体８を単に回動するだけで、パイプａを締め付け抱持したクランプｂの突出部位となる締付抱持機構５をカバー体８で覆って物が引っ掛かりにくい状態、及び、締付抱持機構５をカバー体８で覆わずこのカバー体８を露出した状態として締付抱持操作可能な状態に容易に可変することができる。
【００２３】
また、例えば、前記カバー体８を樹脂製とし、このカバー体８を、前記抱持体１Ａ及び前記締付抱持体１Ｂの外面並びに前記締付抱持機構５、又は、前記抱持体１Ａ若しくは前記締付抱持体１Ｂの外面並びに前記締付抱持機構５を覆い得る形状に形成した構成とすれば、クランプｂの突出部位となる締付抱持機構５だけでなく、クランプｂの外面、即ち、前記抱持体１Ａ及び前記締付抱持体１Ｂの外面又は前記抱持体１Ａ若しくは前記締付抱持体１Ｂの外面をもカバー体８で覆うことができるため、より一層クランプｂの外面に物を引っ掛かりにくくできることとなる。
【００２４】
また、カバー体８を樹脂製とすることで、クッション性（弾力性）を付与できることとなり、これにより、例えばクランプｂの外面に作業者が接触してしまっても、接触時の衝撃を和らげることができ、よって、より安全性に秀れたものとできる。
【００２５】
また、カバー体８を樹脂製とすることで、例えば一体成形により製造が可能なため、容易に製造することができ、秀れた量産性を発揮できることとなるなど、一層実用的となる。
【００２６】
また、例えば、前記締付抱持機構５は、前記抱持体１Ａ若しくは前記締付抱持体１Ｂに設けた締付ボルト２と、前記締付抱持体１Ｂ若しくは前記抱持体１Ａに設けた係合係止部３に係合した前記締付ボルト２に螺着するナット４とから構成、又は、抱持体の端部及び締付抱持体の端部に設けた係合部と、この前記抱持体１Ａの端部及び前記締付抱持体１Ｂの端部に設けた係合部に嵌入して抱持体１Ａと締付抱持体１Ｂとを締め付け連結する楔体とから構成し、前記カバー体８に前記締付抱持機構５の締付ボルト２及びこの締付ボルト２に螺着するナット４、又は、前記抱持体の端部及び前記締付抱持体の端部に設けた係合部及びこの係合部に嵌入して抱持体１Ａと締付抱持体１Ｂとを締め付け連結する楔体を収納し得る収納部13を形成し、前記クランプｂに対して前記カバー体８を回動してこの収納部13に前記締付抱持機構５を収納することで、この締付抱持機構５をカバー体８で覆った状態とするように構成すれば、クランプｂの締付抱持機構５が締付ボルト２及びこの締付ボルト２に螺着するナット４とからなるものであっても、抱持体１Ａの端部及び締付抱持体１Ｂの端部に設けた係合部並びにこの係合部に嵌入する楔体とからなるものであっても、クランプｂの突出部位となる締付抱持機構５をカバー体８で確実に覆ってクランプｂの外面に物を引っ掛りにくくできることとなるなど、一層実用的となる。
【００２７】
また、例えば、前記カバー体８が前記パイプａを締め付け挟持したクランプｂの突出部位となる締付抱持機構５を覆った際、前記締付抱持機構５に圧入して前記カバー体８が締付抱持機構５を覆った状態を保持する圧入部16を前記カバー体８の内側に一体形成すれば、パイプａを締付抱持したクランプｂに対し、カバー体８を回動させて該カバー体８の圧入部16を締付抱持機構５に圧入することで、カバー体８でクランプｂの締付抱持機構５を覆った状態を良好に保持でき、これにより、例えばカバー体８が締付抱持機構５を覆わない方向に回動するような力が外方から加わったとしても、このカバー体８が回動することを抑制できることとなり、しかも、この圧入部16を容易に形成できることとなるなど、一層実用的となる。
【００２８】
また、例えば、前記カバー体８の一端部に、このカバー体８をクランプｂに係合する係合部６を設け、他端部に、前記締付抱持機構５を収納し得る収納部13を形成し、前記係合部６をクランプｂに係合することでカバー体８をクランプｂに対して回動自在に配設すれば、係合部６をクランプｂに係合するだけで、クランプｂに対してカバー体８を回動自在に配設でき、これにより、カバー体８をクランプｂに容易に配設でき、カバー体８で締付抱持機構５を覆った状態と覆わない状態とを可変できることとなるなど、一層実用的となる。
【実施例１】
【００２９】
本発明の具体的な実施例１について図１〜図５に基づいて説明する。
【００３０】
実施例１は、クランプの締付抱持機構として、抱持体１Ａに設けた締付ボルト２と、締付抱持体１Ｂの先端部に設けた係合係止部３に係合係止した前記締付ボルト２に螺着するナット４とからなる締付抱持機構５を有するクランプｂの外面を覆うカバーに関するものである。
【００３１】
即ち、実施例１は、パイプａを抱持する抱持縁を有するＬ字形の抱持体１Ａの基端部に、同じく抱持縁を有する締付抱持体１Ｂの基端部を枢着し、この抱持体１Ａの先端部に締付ボルト２の基端部を枢着し、この締付ボルト２の先端部を前記締付抱持体１Ｂの先端部に設けた係合係止部３に係合し、前記締付ボルト２に螺合したナット４を締め付け回動することによりパイプａを締め付け抱持し得るように構成したクランプｂの外面を覆うカバーであり、このカバー体８をクランプｂに対して回動自在に前記クランプｂの所定部位に配設し、クランプｂに対してカバー体８を回動することで、前記パイプａを締め付け抱持したクランプｂの突出部位となる締付ボルト２の先端部及びこの締付ボルト２の先端部に螺着したナット４を前記カバー体８で覆った状態と、前記締付ボルト２の先端部及び前記ナット４を前記カバー体８で覆わない状態とに可変し得るように構成したものである。
【００３２】
カバー体８は樹脂製であり、このカバー体８は、前記締付抱持体１Ｂの外面及びこの抱締付持締体１Ｂの係合部に係合する締付ボルト２及びこの締付ボルト２に螺着したナット４を覆い得る形状に形成した構成としている。
【００３３】
具体的には、カバー体８は、抱持体１Ａと締付抱持体１Ｂとの枢着部11近傍から、締付抱持体１Ｂの係合係止部３に係合した締付ボルト２及びこの締付ボルト２に螺着したナット４とを含む締付抱持体１Ｂの先端部までをこの締付抱持体１Ｂの外面を介して覆った形状に形成した構成としている。尚、実施例１の係合係止部３は、図１，図４に示すように、締付抱持体１Ｂの先端部を外方に向けてやや突出させ、この突出させた部位に、前記締付ボルト２の先端側が係合し得るような長窓状の切欠部（図示省略）を設けて構成し、この切欠部に締付ボルト２の先端部を配設し、ナット４を螺着して切欠部の周縁に前記ナット４を締め付け係止することで、抱持体１Ａと締付抱持体１Ｂとの間でパイプａを締め付け抱持する構成となっている。
【００３４】
また、実施例１のカバー体８は、図１〜図５に示すように、基端部に、このカバー体８をクランプｂに係合する係合部６を設け、この係合部６の近傍にして前記カバー体８の先端側には係合部６に対してカバー体８の先端側を回動し得る回動部22を形成し、係合部６をクランプｂに係合することでカバー体８をクランプｂに対して回動自在に構成し、このカバー体８の先端部には、前記締付抱持機構５を収納し得る収納部13を形成した構成としている。
【００３５】
係合部６は、回動部22を介して擺動自在な取付片23と、この取付片23に突設した軸部９とにより構成している。尚、カバー体８は、カバー体８の基端部を除く部位、即ち、取付片23を除く部位を断面視コ字状に形成している。
【００３６】
即ち、取付片23に軸部９を、カバー体８の内方に向けて一体形成した構成としている。尚、実施例１では、軸部９を取付片23の縦巾方向に所定間隔を置いて二箇所に設けている。
【００３７】
また、この軸部９の先端部には、軸部９をクランプｂの所定部位に形成した軸受孔部10に挿入係合した際に、この軸受孔部10から抜脱することを防止するかえし部９Ａを設けている。
【００３８】
回動部22は、図２，図５に示すように、カバー体８の縦巾方向にヒンジ部22Ａを設けることで構成され、このヒンジ部22Ａを介して収納部13が係合部６に対して回動し得るように構成している。
【００３９】
即ち、収納部13と取付片23とを、ヒンジ部22Ａを介して連設している。
【００４０】
収納部13は、締付抱持機構５の外面形状、即ち、締付抱持体１Ｂの係合係止部３，この係合係止部３に係合した締付ボルト２の先端部及びこの締付ボルト２の先端部に螺着したナット４との外面形状に沿った凹凸を有する形状に形成したのではなく、前記係合係止部３，前記締付ボルト２の先端部及び前記ナット４を覆った際に、クランプｂの外面に物が引っ掛かるような段差部若しくは急激な突出部を有しない滑らかな外面形状に形成した構成としている。
【００４１】
具体的には、収納部13は、図２に示すように、締付抱持体１Ｂの係合係止部３，締付抱持体１Ｂの係合係止部３に係合しこの係合係止部３から外方へ突出する締付ボルト２の先端部及びこの締付ボルト２の先端部に螺着したナット４を十分に収納し得る中空状体で形成された構成としている。
【００４２】
また、収納部13には、カバー体８がパイプａを締め付け挟持したクランプｂの突出部位となる締付抱持機構５を覆った際、この締付抱持機構５に圧入して前記カバー体８が締付抱持機構５を覆った状態を保持する圧入部16を一体形成した構成としている。
【００４３】
具体的には、収納部13に、締付ボルト２の径よりも巾狭な巾狭凹部16を形成して前記前記圧入部16を構成している。
【００４４】
即ち、巾狭凹部16は、図１，図２に示すように、パイプａを締付抱持した際に、収納部13内における締付ボルト２の先端部が位置する部位に形成している。これにより、パイプａを抱持したクランプｂの締付抱持機構５をカバー体８で覆った際、巾狭凹部16に締付ボルト２の先端部が圧入することで、前記カバー体８が締付抱持機構５を覆った状態を良好に保持でき、一方、締付ボルト２は前述のように巾狭凹部16に圧入された状態であることから、カバー体８を締付抱持機構５が露出する方向に回動させることで、締付ボルト２に対する巾狭凹部16の圧入状態を解除して締付抱持機構５を容易に露出することができる。従って、容易な操作により、カバー体８で締付抱持機構５を覆った状態と覆わない状態とを可変することができる。
【００４５】
尚、実施例１では、図１に示すように、巾狭凹部16の内面にして対向する位置に更に内方に向けて突出する突出条18を設け、この突出条18間に締付ボルト２の先端が圧入される構成としている。この突出条18は、圧入される締付ボルト２と直交する方向に設けられている。
【００４６】
また、カバー体８の巾狭凹部16形成部位（収納部13の角部付近）は、外方から見て他の部位よりも厚さが薄い形状となっている。
【００４７】
これにより、この巾狭凹部16の外面部は非常につかみ易く、よって、この巾狭凹部16の外面部をつまんでカバー体８を容易に回動操作することができる。
【００４８】
また、カバー体８は、合成樹脂により一体成形された構成としている。
【００４９】
これにより、カバー体８には可撓性が付与されることとなり、このカバー体８の可撓性を利用して、カバー体８の基端部に設けた軸部９を抱持体１Ａの枢着部11近傍に設けた軸受孔部10に容易に挿入係合してクランプｂにカバー体８を容易に取り付けできることとなる。
【００５０】
即ち、カバー体８の基端部に設けた軸部９は可撓性により容易に変形し得るため、抱持体１Ａに設けた軸受孔部10に軸部９の先端部を押し当て、そのまま押し込むことで軸部９の先端のかえし部９Ａが変形して軸受孔部10内に挿入され、この軸受孔部10を通過した時点で可撓性によってかえし部９Ａが元の形状に復帰することで、軸受孔部10に軸部９を係合し、これにより、クランプｂに対してカバー体８を回動自在且つ容易に抜脱しないように取り付けることができ、よって、秀れた作業性を発揮することができる。
【００５１】
また、カバー体８を合成樹脂製とすることで、カバー体８はクッション性（弾力性）を有することとなり、これによりクランプｂの外面に作業者が接触してしまっても、接触時の衝撃を和らげることができ、よって、安全性に秀れたものとなる。
【００５２】
また、合成樹脂を原料として一体成形により形成するため、簡易に製造でき、これにより、秀れた量産性を発揮することができる。
【００５３】
尚、実施例１では、カバー体８を合成樹脂により形成した構成としたが、クランプｂの突出部位を確実且つ良好に覆うことができるものであれば適宜採用しても良く、例えば、金属製としても良い。
【００５４】
また、実施例１では、カバー体８に軸部９を設け、クランプｂに軸受孔部10を設けた構成としたが、クランプｂに軸部９を設け、カバー体８に軸受孔部10を設けた構成としても良い。
【００５５】
尚、符号14は、パイプａの形状に湾曲形成された湾曲縁部である。
【００５６】
以上、実施例１は上述のように構成したから、簡易な構成にして容易に製造することができ、しかも、クランプｂへの取り付けも極めて容易なため、秀れた量産性を発揮して市場に安価に提供することが可能であり、また、簡易な操作により、クランプｂの外面に突出する締付ボルト２の先端部及びこの締付ボルト２の先端部に螺着したナット４を覆った状態と、前記締付ボルト２と前記ナット４とをカバー体８で覆わない状態とに簡単に可変することができるため、クランプｂに物が引っ掛かりにくい状態と、締付ボルト２にナット４を着脱し得る状態とを容易に可変し実現することができ、更に、カバー体８が締付抱持機構５を覆った状態を良好に保持できる作業性，実用性に秀れた画期的なクランプ用カバーとなる。
【００５７】
また、カバー体８は、このカバー体８に形成されたヒンジ部23により回動可能であり、カバー体８の基端部は、前記カバー体８の軸部９をクランプｂの軸受孔部10に係合係止することにより確固に固定されるため、クランプｂからカバー体８が取り外れて紛失してしまう懸念も生じない実用性に秀れた画期的なクランプ用カバーとなる。
【００５８】
尚、図１〜図５は、クランプｂの抱持体１Ａ同志を連設した形態のクランプに、本実施例のカバー体を適用した場合を示している。
【実施例２】
【００５９】
本発明の具体的な実施例２について図６〜図８に基づいて説明する。
【００６０】
実施例２は、実施例１と同様、クランプの締付抱持機構として、抱持体１Ａに設けた締付ボルト２と、締付抱持体１Ｂの先端部に設けた係合係止部３に係合した前記締付ボルト２に螺着するナット４とからなる締付抱持機構５を有するクランプｂの外面を覆うカバーに関するものである。
【００６１】
実施例２のカバー体８は、図６，図７に示すように、基端部に、クランプｂの所定部位に回動自在に係合する前記係合部６を設け、先端部に、前記係合係止部３，前記締付ボルト２の先端部及びこの締付ボルト２の先端部に螺着するナット４を収納し得る収納部13を形成した構成としている。尚、実施例２のカバー体８は断面コ字状に形成した構成としている。
【００６２】
係合部６は、カバー体８の基端部内面にして対向する位置に軸部９を設けることで形成した構成としている。
【００６３】
即ち、実施例２では、係合部６は、図７に示すように、カバー体８の基端部内面にして対向する位置に軸部９を突設することで構成している。
【００６４】
そして、この軸部９を、抱持体１Ａ及び締付抱持体１Ｂの枢着部11近傍の抱持体１Ａに設けた軸受孔部10に挿入係合することで、クランプｂに対してカバー体８を回動自在に配設した構成としている。
【００６５】
カバー体８には、このカバー体８の収納部13が締付抱持体１Ｂの係合係止部３，この係合係止部３に係合する締付ボルト２の先端部及びこの締付ボルト２の先端部に螺着するナット４を覆った状態を保持するための保持部12を設けた構成としている。
【００６６】
具体的には、この保持部12は、前記係合係止部３，前記締付ボルト２及びナット４をカバー体８で覆った際に、抱持体１Ａと締付抱持体１Ｂとを枢着した枢着軸杆（図示省略）の両端部（この両端部は抱持体１Ａ及び締付抱持体１Ｂの外面からやや突出している。）を収納し得る凹状部（外面から見て凸状部）をカバー体８の基端部内面に設けることで形成された構成としている。
【００６７】
即ち、カバー体８の収納部13が前記係合係止部３，前記締付ボルト２及び前記ナット４を覆った際に、保持部12が抱持体１Ａと締付抱持体１Ｂとを枢着する枢着軸杆の両端部を収納することとなり、これにより、カバー体８が締付ボルト２及びナット４を覆った状態を保持できることなる。これにより、仮にカバー体８に作業者等が接触しても容易にカバー体８が回動して締付ボルト２及びナット４が容易に露出してしまうことはない。
【００６８】
また、カバー体８に覆われた前記締付ボルト２及前記ナット４を露出させる際には、カバー体８を単に締付ボルト２及びナット４から離反させるように回動することで、カバー体８の保持部12から枢着部11が離脱し、これにより、締付ボルト２及びナット４を露出することができる。
【００６９】
尚、その余の構成は実施例１と同様である。
【００７０】
従って、実施例２は、実施例１と同様、簡易な構成にして容易に製造することができ、しかも、クランプｂへの取り付けも極めて容易なため、秀れた量産性を発揮して市場に安価に提供することが可能であり、また、簡易な操作により、クランプｂの外面に突出する締付ボルト２の先端部及びこの締付ボルト２の先端部に螺着したナット４を覆った状態と、前記締付ボルト２と前記ナット４とをカバー体８で覆わない状態とに簡単に可変することができるため、クランプｂに物が引っ掛かりにくい状態と、締付ボルト２にナット４を着脱し得る状態とを容易に可変し実現することができる作業性，実用性に秀れた画期的なクランプ用のカバーとなる。
【００７１】
尚、本発明は、実施例１，２に限られるものではなく、各構成要件の具体的構成は適宜設計し得るものである。
【図面の簡単な説明】
【００７２】
【図１】実施例１のカバー体及びクランプを示す説明平面図である。
【図２】実施例１のカバー体を示す説明斜視図である。
【図３】実施例１の使用状態を示す説明斜視図である。
【図４】実施例１のカバー体及びクランプを示す説明斜視図である。
【図５】実施例１のカバー体及びクランプを示す説明斜視図である。
【図６】実施例２の使用状態を示す説明平面図である。
【図７】実施例２のカバー体を示す説明斜視図である。
【図８】実施例２の使用状態を示す説明側面図である。
【符号の説明】
【００７３】
１Ａ  抱持体
１Ｂ  締付抱持体
２  締付ボルト
３  係合部
４  ナット
５  締付抱持機構
６  係合部
８  カバー体
13  収納部
16  圧入部
ａ  パイプ
ｂ  クランプ
【図１】
2004251443.tif 000003
【図２】
2004251443.tif 000004
【図３】
2004251443.tif 000005
【図４】
2004251443.tif 000006
【図５】
2004251443.tif 000007
【図６】
2004251443.tif 000008
【図７】
2004251443.tif 000009
【図８】
2004251443.tif 000010